(57)【特許請求の範囲】
【請求項１】
握り部と棒状差込部材とを備えた取手部材の前記棒状差込部材を挿脱自在に受け入れるための棒状差込部材受入口と受入溝とを備えた基材の全周と、該基材の先端部の外方全体とに、軟質羽毛状の塵芥清拭部材をほぼ丸棒状に付着させてなるハンディモップ用モップ本体部材において、
前記基材は、矩形状の基布が二ツ折りされ、該基布の一端部と他端部との折り重なり部で形成される前記棒状差込部材受入口及び前記基布の折り返し部に形成される前記先端部を除く両側縁部が、前記軟質羽毛状の塵芥清拭部材間から外方に露出すると共に、前記基布の二層からなる、外方に延出する複数の短冊片を有し、
前記棒状差込部材受入口は、前記塵芥清拭部材から外方に突出しており、前記棒状差込部材受入口を除く両側縁部において、接着されているハンディモップ用モップ本体部材。
【請求項２】
請求項１に記載のハンディモップ用モップ本体部材であって、
前記短冊片が切欠部を有するハンディモップ用モップ本体部材。
【請求項３】
請求項２に記載のハンディモップ用モップ本体部材であって、
前記切欠部は、前記短冊片が同形同大の菱形を対角線の短手方向に等間隔で連ねた外形となるよう設けられてなるハンディモップ用モップ本体部材。
【発明の詳細な説明】
【技術分野】
【０００１】
本発明は、部屋の角部等に付着している塵芥を清拭除去するために使用され、取手部材に着脱自在に装着されるハンディモップ用モップ本体部材に関する。
【背景技術】
【０００２】
室内や車内等の塵芥を除去する清拭用のハンディモップとして、モップ本体部材を取手部材に着脱・交換自在に装着し得るようにしたハンディモップが一般に使用されており、例えば、特許文献１に開示された技術が知られている。
【０００３】
この特許文献１に開示されたハンディモップ１０１は、図７に示すように、二股状の差込板１３１を有する把手１２１の差込板１３１にモップ本体１１１を着脱自在に装着し得るようにしたものである。
【０００４】
この特許文献１に開示された技術によれば、モップ本体１１１をワンタッチで着脱することができ、しかも使用中は抜け難く、また、モップ本体１１１は、偏平な差込板１３１に取り付けられ、押した時にしなりがあることから、清掃対象物に傷を付けることがない。
【先行技術文献】
【特許文献】
【０００５】
【特許文献１】特開２００５−２３０５７６号公報
【発明の概要】
【発明が解決しようとする課題】
【０００６】
しかしながら、特許文献１に開示された従来のハンディモップ１０１は、モップ本体１１１が平板状であるために、モップ本体１１１の一面しか塵芥清拭用に使用できないので、家具等の間の狭隘な隙間の両側面を清拭しようとする場合に、その両側面や隙間前方の壁面等の部位を同時に清拭することができず、作業性が劣るものであった。
【０００７】
また、モップ本体１１１は、毛羽立った合成樹脂製の不織布を２〜３枚重ね合わせ、中央を横切るようにしてライン状に溶着することで束ねられているので、モップ本体１１１の先端部は柔らかく、吸着だけでは拭き取ることができない付着した塵芥を擦りとることができないものであった。
【０００８】
そこで、本発明が解決しようとする課題は、床等の角部に付着した塵芥を除去する際に、清掃対象物への力が伝え易く、一度に複数の面と接触して清掃することができるハンディモップ用モップ本体部材を提供することである。
【課題を解決するための手段及び発明の効果】
【０００９】
本発明の第１の側面に係るハンディモップ用モップ本体部材によれば、握り部と棒状差込部材とを備えた取手部材の前記棒状差込部材を挿脱自在に受け入れるための棒状差込部材受入口と受入溝とを備えた基材の全周と、該基材の先端部の外方全体とに、軟質羽毛状の塵芥清拭部材をほぼ丸棒状に付着させてなるハンディモップ用モップ本体部材において、前記基材は、矩形状の基布が二ツ折りされ、該基布の基材の一端部と他端部との折り重なり部で形成される前記棒状差込部材受入口及び前記基材の折り返し部に形成される前記先端部を除く両側端部が、前記軟質羽毛状の塵芥清拭部材間から外方に露出するよう構成できる。
【００１０】
前記構成により、基材の両側端部が軟質羽毛状の塵芥清拭部材間から外方に露出しているので、２つの面が直交して構成される角部にある塵芥を接合線に沿って基材の側端部で擦りとることができ、同時に、ボリューム感のある軟質羽毛状の側面の塵芥清拭部材が２つの面に接触するため、塵芥清拭部材による吸着効果と相俟って、基材の両側端部が露出していない場合に比べて、より効率的に、２つの面が直交して構成される角部にある塵芥を除去することができる。
【００１１】
２つの面が直交して構成される角部としては、例えば、部屋の角部などが挙げられ、部屋の床と壁とが接合されて構成される角部に、基材の側端部を直接沿わせて塵芥を擦りとりながら、軟質羽毛状の側面の塵芥清拭部材で塵芥を吸着除去することができる。
【００１２】
また、前記構成により、矩形状の基布が二ツ折りにされているので、折り返し部が硬化し、折り返し部を介して、取手部材の棒状差込部材の先端から清掃対象物へ力が伝わり易くなり、加えて、基材の先端部の外方全体にほぼ丸棒状に付着させてなるボリューム感のある軟質羽毛状の塵芥清拭部材を清掃対象物に広範囲に接触させることができるので、丸棒状先部のボリューム感のある軟質羽毛状の塵芥清拭部材が、３つの面が直交して構成される角部にある塵芥を、硬化した折り返し部を角部に押し込みながら擦りとることができ、同時に、軟質羽毛状の塵芥清拭部材による吸着効果と相俟って、折り返し部がない場合に比べて、より効率的に、３つの面が直交して構成される角部にある塵芥を除去することができる。
【００１３】
３つの面が直交して構成される角部としては、例えば、２つの壁と床との３面で構成される部屋の角部やその周辺の壁及び床等が挙げられ、部屋の角部やその周辺の壁及び床に、硬化した折り返し部を部屋の角部に押し込みながら擦りとると同時に、軟質羽毛状の塵芥清拭部材を周辺の壁及び床に広範囲に接触させながら、塵芥を吸着除去することができる。
【００１４】
さらに、前記構成により、基材の棒状差込部材受入口及び折り返し部に形成される先端部を除く両側端部が、軟質羽毛状の塵芥清拭部材間から外方に露出しているので、上面の軟質羽毛状の塵芥清拭部材繊維と下面の軟質羽毛状の塵芥清拭部材繊維とを、基材を境に完全に分離することができるので、上面と下面の軟質羽毛状の塵芥清拭部材繊維が絡み合って固まり、実質的にモップとして機能しなくなるのを抑制することができる。すなわち、ハンディモップ用モップ本体部材を、棒状差込部材を軸として回転させて使用した場合でも、上面と下面の軟質羽毛状の塵埃清拭部材の繊維が絡み合って固まることが少なくなるので、ハンディモップ用モップ本体部材の保型性が良くなり、塵芥拭取り効果が長期間持続する。
【００１５】
本発明の第２の側面に係るハンディモップ用モップ本体部材によれば、前記棒状差込部材受入口は、前記塵芥清拭部材から外方に突出しており、前記棒状差込部材受入口を除く両側縁部において、シールされるよう構成できる。
【００１６】
前記構成により、棒状差込部材受入口は、塵芥清拭部材から外方に突出しているので、棒状差込部材受入口を指で掴むことができ、棒状差込部材の挿脱作業が容易となる。
【００１７】
また、前記構成により、棒状差込部材受入口は、基材の一端部と他端部との折り重なり部の両側端縁が一体にシールされているので、棒状差込部材受入口を介して棒状差込部材を受入溝に挿脱する作業において、棒状差込部材受入口を拡張する力が作用しても棒状差込部材受入口が裂けることがない。
【００１８】
本発明の第３の側面に係るハンディモップ用モップ本体部材によれば、前記基材は、前記両側端部から内方に延びる切込線で分離され、且つ外方に延びる複数の短冊片を有することができる。
【００１９】
前記構成により、基材の両側端部から外方に延びる複数の短冊片を僅かな隙間や凹凸のある溝等に入り込ませることができるので、隅々の塵芥を残すことなく拭取ることができる。
【００２０】
本発明の第４の側面に係るハンディモップ用モップ本体部材によれば、前記切込線は、前記両側端部に沿って、間隔をおいて設けられた切断及び／又は切欠きであるよう構成できる。
【００２１】
前記構成により、基材の両側端部に沿って間隔をおいて設けられた切断及び／又は切欠きにより、僅かな隙間や凹凸のある溝等に入り込ませて、軟質羽毛状の塵芥清拭部材では容易に吸着除去できない付着した塵芥を、掻出して除去することができる。
【００２２】
本発明によれば、床等の角部に付着した塵芥を除去する際に、清掃対象物への力が伝え易く、一度に複数の面と接触して清掃することができるハンディモップ用モップ本体部材を提供することができる。
【図面の簡単な説明】
【００２３】
【図１】本発明を適用したハンディモップ用モップ本体部材の構成を示す斜視図である。
【図２】図１におけるＡ−Ａ'断面図である。
【図３】図１におけるＢ−Ｂ'断面図である。
【図４】本発明を適用したハンディモップ用モップ本体部材の製造方法の説明図である。
【図５】本発明を適用したハンディモップ用モップ本体部材の製造工程の流れを示すフローチャートである。
【図６】本発明を適用したハンディモップ用モップ本体部材の使用方法の説明図である。
【図７】従来のハンディモップの構成を示す斜視図である。
【発明を実施するための形態】
【００２４】
以下、本発明を適用した具体的な実施の形態について、図面を参照しながら詳細に説明する。本発明は、例えば、図１乃至図３に示すような構成のハンディモップ用モップ本体部材１に適用される。
【００２５】
１．ハンディモップ用モップ本体部材１の構成
このハンディモップ用モップ本体部材１は、図１に示すように、取手部材１０の棒状差込部材１１ａ，１１ｂを受け入れるための棒状差込部材受入口３ａ，３ｂと棒状差込部材受入溝４ａ，４ｂとを有する基材２と、基材２の一面に接着された軟質羽毛状の塵芥清拭部材７とを主要部として備えている。
【００２６】
基材２は、例えば、ＰＰ又はＰＥ等の合成樹脂を材料とする矩形状の不織布製であり、長さ３２０ｍｍ、幅９５ｍｍ、目付は１０〜１００ｇ／ｍ２で、厚みが０．５〜５ｍｍである。なお、基材２のサイズは前記に限定されない。
【００２７】
また、基材２は、図１に示すように、外周以外の全体に軟質羽毛状の塵芥清拭部材７がほぼ丸棒状に接着されている。接着方法としては、例えば、超音波接着法，高周波接着法，熱融着，接着剤による方法，ヒートシール等の任意の方法を採用することができるが、本実施形態においては、超音波接着法を採用している。
【００２８】
また、基材２は、後述する矩形状の基布５を折畳み線Ｄ−Ｄ'の位置で二ツ折りにし（図４（Ｃ）を参照。）、両側縁部６ａ，６ｂの内方に設けられた内方シール線１８ａ，１８ｂが、短手方向に点線状（直線状でもよい。）に例えば超音波接着法によって接着されている。
【００２９】
また、基材２は、図１に示すように、棒状差込部材受入口３ａ，３ｂ及び折返し部に形成される先端部を除く両側縁部６ａ，６ｂが、塵芥清拭部材７から外方に露出している。
【００３０】
基布５は、シート状の、例えば、ＰＰ又はＰＥ等の合成樹脂繊維を構成素材とするスパンボンド不織布からなる基材２と、ＰＰ又はＰＥ等の合成樹脂繊維の繊維束からなる軟質羽毛状の塵芥清拭部材７との組合わせ体であり、シート状の基材２の一面側に軟質羽毛状の塵芥清拭部材７が基材２より幅狭で例えば超音波接着法によって接着されている。
【００３１】
また、基布５は、後述する製造方法により、テンションを掛けられた塵芥清拭部材７が切断後に伸長方向に収縮するため、両側縁部６ａ，６ｂにおいて、基材２が塵芥清拭部材７から突出している。
【００３２】
塵芥清拭部材７は、軟質羽毛状であり、塵芥Ｄを付着させ易い性質をもつ、例えば、ＰＰ又はＰＥ繊維等を構成素材とする繊維束であり、基布５に丸棒状に接着されている。
【００３３】
両側縁部６ａ，６ｂは、塵芥清拭部材７から外方に露出しており、且つ塵芥清拭部材７から外方に突出しており、内方に延びる切込線８ａ，８ｂを複数形成することで、短冊片１３ａ，１３ｂとなり、短冊片１３ａ，１３ｂを僅かな隙間や凹凸のある溝等に入り込ませて隅々の塵芥Ｄを残すことなく拭取ることができる。なお、両側縁部６ａ，６ｂは、塵芥清拭部材７から外方に突出せず、塵芥清拭部材７と同幅としてもよい。
【００３４】
短冊片１３ａ，１３ｂは、図１に示すように、両側縁部６ａ，６ｂを内方に延びる切込線８ａ，８ｂで分離することで複数形成され、例えば、短冊片１３ａ，１３ｂの長手方向に並行する両側縁部１４ｃ，１４ｄに切欠き１５を有してもよく、切欠き１５を有する短冊片１３ａ，１３ｂを、僅かな隙間や凹凸のある溝等に入り込ませて、軟質羽毛状の塵芥清拭部材７では容易に吸着除去できない付着した塵芥Ｄを、掻出して除去することができる。なお、短冊片１３ａ，１３ｂは、切欠き１５を有しないようにしてもよい。
【００３５】
切欠き１５は、例えば、直線形状，Ｖ字状，ハ字状等となっており、適宜選択することができる。
【００３６】
棒状差込部材受入口３ａ，３ｂは、図２に示すように、基材２の幅方向中央線９を直線状又は点線状に接着して形成された開口端であって、取手部材１０の棒状差込部材１１ａ，１１ｂをハンディモップ用モップ本体部材１に係入する際の入口となる。
【００３７】
また、棒状差込部材受入口３ａ，３ｂは、塵芥清拭部材７から外方に突出し、棒状差込部材受入口３ａ，３ｂを除く両側縁部１６ａ，１６ｂにおいて、例えば超音波接着法によって接着されており、棒状差込部材受入口３ａ，３ｂを介して棒状差込部材１１ａ，１１ｂを棒状差込部材受入溝４ａ，４ｂに挿脱する作業において、棒状差込部材受入口３ａ，３ｂを拡張する力が作用しても裂けることがない。
【００３８】
棒状差込部材受入溝４ａ，４ｂは、図１及び図３に示すように、基材２の幅方向中央線９を点線状（直線状でもよい。）に接着することで形成され、棒状差込部材１１ａ，１１ｂが先まで挿入されて保持されることで、取手部材１０の棒状差込部材１１ａ，１１ｂとハンディモップ用モップ本体部材１とが一体化する。
【００３９】
２．ハンディモップ用モップ本体部材１の製造方法
続いて、図４及び図５を参照して、前述した構成のハンディモップ用モップ本体部材１の製造方法について説明する。このハンディモップ用モップ本体部材１の製造方法は、図５に示すように、長尺シート状の基材２の短手方向に複数の切込線８を長手方向（図４（Ａ）の紙面左右方向）に所定の間隔で形成するステップＳＴ１（図５の基材切込工程）と、長尺シート状の塵芥清拭部材７と長尺シート状の基材２とを積層するステップＳＴ２（図５の基布形成工程）と、積層された塵芥清拭部材７と基材２とを長手方向（図４（Ｂ）の紙面左右方向）に所定の間隔で、短手方向に直線状又は点線状に接着して組合わせ体を形成するステップＳＴ３（図５の第一接着工程）と、組合わせ体の先端側を基端側に重ね合わせるようにして、短手方向（図４（Ｃ）の紙面上下方向）に、二つ折りにするステップＳＴ４（図５の折返し工程）と、切込線８の長手方向中心線２１で組合わせ体を短手方向（図４（Ｃ）の紙面上下方向）に切断分離し、且つ外方に延びる複数の短冊片１３ａ，１３ｂを形成するステップＳＴ５（図５の切断工程）と、棒状差込部材受入口３ａ，３ｂ及び基材２の折り返し部に形成される先端部を除く両側縁部を接着するステップＳＴ６（図５の第２接着工程）とで構成されている。
【００４０】
先ず、ステップＳＴ１では、紙管にロール状に巻いた原反等（図示しない。）が、図４（Ａ）に示すように、長尺シート状の基材２を繰り出しながら、カッティングロール等（図示しない。）によって、基材２の短手方向（図４（Ａ）の紙面上下方向）に複数の切込線８を長手方向（図４（Ａ）の紙面左右方向）に所定の間隔で形成する。なお、切込線８は、例えば、直線、ジグザグ線等とすることができ、ジグザグ線とした場合は、後の工程で形成される短冊片１３ａ，１３ｂが切欠き１５となる。
【００４１】
ステップＳＴ２では、紙管にロール状に巻いた原反等（図示しない。）が、図４（Ｂ）に示すように、長尺シート状の塵芥清拭部材７を繰り出す。この時、塵芥清拭部材７は長手方向（図４（Ｂ）の紙面左右方向）にテンションを掛けながら繰り出す。
【００４２】
また、ステップＳＴ２では、基材２の上面側に、例えば、基材２より幅狭の塵芥清拭部材７を積層する。
【００４３】
ステップＳＴ３では、超音波接着法によって、長手方向（図４（Ｂ）の紙面左右方向）に等間隔で位置する接着箇所２０（図４（Ｂ）を参照。）において、基材２の構成素材である樹脂繊維と長手方向（図４（Ｂ）の紙面左右方向）にテンションが掛けられた状態の塵芥清掃部材７の樹脂繊維とを溶融して接着して組合わせ体を形成する。なお、接着方法は、超音波接着法に代えて、樹脂を溶融したホットメルト等の接着剤を使用してもよい。
【００４４】
ステップＳＴ４では、図４（Ｃ）に示すように、塵芥清拭部材７が外面になるように組合わせ体の先端側を基端側に重ねて、長尺シートの短手方向（図４（Ｃ）の紙面上下方向）に、二つ折りに折返す。
【００４５】
ステップＳＴ５では、図４（Ｃ）及び図４（Ｄ）に示すように、基材２に形成された切込線８が長手方向（図４（Ｂ）の紙面左右方向）に二等分される中心線２１に沿って組合わせ体を短手方向（図４（Ｂ）の紙面上下方向）に切断分離し、矩形状の基布５を形成する。テンションを掛けられた塵芥清拭部材７は、切断すると伸長方向（図４（Ｄ）の紙面左右方向）に収縮し、基材２が塵芥清拭部材７から突出した形状となる。
【００４６】
また、ステップＳＴ５では、基材２に形成された切込線８の中心線２１に沿って短手方向に組合わせ体を切断分離すると、同時に短冊片１３ａ，１３ｂが形成される。
【００４７】
ステップＳＴ６では、図４（Ｅ）に示すように、二つ折りに重ね合わされた基布５の上下を、基布５の両側縁部６ａ，６ｂの内方シール線１８ａ，１８ｂに沿って点線状（直線状でもよい。）に接着することにより、棒状差込部材受入口３ａ，３ｂと棒状差込部材受入溝４ａ，４ｂを形成する。
【００４８】
また、ステップ６では、基布５の塵芥清拭部材７から突出した基材２の一端部と他端部との折り重なり部で形成される棒状差込部材受入口３ａ，３ｂ及び基布５の折り返し部に形成される先端部を除く両側縁部１６ａ，１６ｂを、例えば、ヒートシールによって接着する。
【００４９】
以上のように、ステップＳＴ１〜ステップＳＴ６の工程を実行することによって、ハンディモップ用モップ本体部材１を製造することができる。
【００５０】
３．ハンディモップ用モップ本体部材１の使用方法
使用に際して、ユーザは、図６に示すように、先ず、取手部材１０の棒状差込部材１１ａ，１１ｂをハンディモップ用モップ本体部材１の棒状差込部材受入口３ａ，３ｂから挿入し、棒状差込部材受入溝４ａ，４ｂに棒状差込部材１１ａ，１１ｂを係入し、取手部材１０の握り部１２を握って清掃する。ハンディモップ用モップ本体部材１が消耗した場合は、棒状差込部材１１ａ，１１ｂを棒状差込部材受入溝４ａ，４ｂから抜き取り、新しいハンディモップ用モップ本体部材１へ容易に交換することができる。
【００５１】
なお、本発明は前述した実施の形態のみに限定されるものではなく、本発明の要旨を逸脱しない範囲において種々の変更が可能であることは勿論である。
【符号の説明】
【００５２】
１              ハンディモップ用モップ本体部材
２              基材
３ａ，３ｂ      棒状差込部材受入口
４ａ，４ｂ      棒状差込部材受入溝
５              基布
６ａ，６ｂ      両側縁部
７              塵芥清拭部材
８，８ａ，８ｂ  切込線
９              幅方向中央線
１０            取手部材
１１ａ，１１ｂ  棒状差込部材
１２            握り部
１３ａ，１３ｂ  短冊片
１４ｃ，１４ｄ  両側縁部
１５            切欠き
１６ａ，１６ｂ  両側縁部
１７ａ，１７ｂ  両側端部
１８ａ，１８ｂ  内方シール線
１９            長手方向中央線
２０            接着箇所
２１            中心線
Ｄ              塵芥
１０１          ハンディモップ
１１１          モップ本体
１２１          把手
１３１          差込板
【図１】
0005869618.tif 000002
【図２】
0005869618.tif 000003
【図３】
0005869618.tif 000004
【図４】
0005869618.tif 000005
【図５】
0005869618.tif 000006
【図６】
0005869618.tif 000007
【図７】
0005869618.tif 000008